(57)【要約】【課題】  肌触りが良好で、速やかな入眠や十分な睡眠効果を有する寝具用シートを提供すること。【解決手段】  本発明の寝具用シート１０は、鎮静精油成分を担持した第１繊維シート１及び親水性繊維を２０〜９０重量％含む第２繊維シート２を備え、第２繊維シート２を身体に接触する側に配した。第２繊維シート２は親水性繊維をそれぞれ含む２層から構成されており、第１層２ａが親水性繊維を９０重量％以上含み且つ第２層２ｂが親水性繊維を３０〜７０重量％を含むものであって、第１層２ａを身体に接触する側に配した。【選択図】    図１
2005143760.tif 000002
【特許請求の範囲】
【請求項１】
鎮静精油成分を担持した第１繊維シート及び親水性繊維を２０〜９０重量％含む第２繊維シートを備え、第２繊維シートを身体に接触する側に配した寝具用シート。
【請求項２】
第１繊維シートに担持した鎮静精油成分が常温で固体である請求項１記載の寝具用シート。
【請求項３】
第１繊維シートに担持した鎮静精油成分が、モノテルペンアルコール、セスキテルペンアルコール、ジテルペンアルコールである請求項１又は２に記載の寝具用シート。
【請求項４】
第２繊維シートを構成する親水性繊維がレーヨンを含有するものである請求項１ないし３の何れかに記載の寝具用シート。
【請求項５】
第２繊維シートを構成する親水性繊維のレーヨン繊維の含有量が２０〜９０重量％である請求項４記載の寝具用シート。
【請求項６】
第１繊維シートにおける構成繊維の比表面積が０．９〜３．０ｍ2／ｇ、坪量が２０〜２００ｇ／ｍ2であり、第２繊維シートの坪量が４０〜３００ｇ／ｍ2である請求項１ないし５の何れかに記載の寝具用シート。
【請求項７】
第１繊維シートに鎮静精油成分を０．１〜３０ｇ／ｍ2担持させた請求項１ないし６の何れかに記載の寝具用シート。
【請求項８】
第２繊維シートが親水性繊維をそれぞれ含む２層から構成されており、第１層が親水性繊維を９０重量％以上含み且つ第２層が親水性繊維を３０〜７０重量％を含むものであって、第１層を身体に接触する側に配した請求項１ないし７の何れかに記載の寝具シート。
【請求項９】
第１層と第２層とが繊維同士の交絡により結合されており、熱処理により第２層を収縮させて第１層を多皺状に成形すると共に第２繊維シート全体をタオル地状とした請求項８記載の寝具用シート。
【発明の詳細な説明】
【技術分野】
【０００１】
本発明は、多層構造を有する寝具用シートに関する。
【背景技術】
【０００２】
現代社会には様々なストレス要因があり、多くの人々がストレスによる悩みを抱えている。一般的に肉体的・精神的なストレスを受けた場合、副交感神経と交感神経の働きのバランスが崩れて自律神経系に失調が生じると、精神の亢進状態が引き起こされ、速やかな入眠や十分な睡眠が妨げられることが知られている。当該問題を緩和させるには、副交感神経の働きを交感神経の働きよりも相対的に優位にすると効果的であることも知られている。副交感神経を優位にする方法としては、例えば香料組成物を気化させて吸気させるアロマテラピーによる方法が採用され（例えば特許文献１参照）、これらの方法を速やかな入眠や十分な睡眠効果が得られるように応用すべく、寝具に香料組成物を付着させる方法も提案されている（例えば特許文献２及び３参照）。
【０００３】
また、香りに対する感受性や嗜好性等の個人差に関わりなく作用する剤の研究もなされており、過度に交感神経が優位な状態の人に対しては鎮静等の作用を示し、過度に副交感神経が優位な状態の人に対しては生理学的に最適な状態に戻すことが可能なストレス緩和剤が開発されている（例えば特許文献４参照）
【０００４】
また特許文献４には、セドロールは、自然な揮発によって、又は加熱、超音波照射等の処理によって揮散可能な状態で用いられることが記載されている。
【０００５】
一方、入眠後、深い睡眠状態を得るためには、深部体温（脳温、直腸温）を下げやすい睡眠環境が重要であることが言われている。深部体温を下げやすくするためには、入眠後の発汗により皮膚表面を濡れた状態にすることは、放熱性を低下させるため好ましくなく、汗を素早く吸収させる必要があると言われている。
【０００６】
【特許文献１】特開平６−４０９１１号公報
【特許文献２】特開平９−１５４６７７号公報
【特許文献３】特開平１０−６６６３９号公報
【特許文献４】国際公開第０１／５８４３５号パンフレット
【発明の開示】
【発明が解決しようとする課題】
【０００７】
鎮静効果が認められているセスキテルペンアルコール等は、常温で固体状であるため揮散性が非常に低く、例えばセドロールは２２℃（常温）における蒸気圧が２．０×１０-5ｋＰａ程度である。そこで、寝具に当該成分を多量に担持させることにより効果を発揮させようとすれば、粉落ち等が生じ、衣服や身体を汚すこととなる。また、これを回避すべく単に別のシート等を重ねれば揮発性を阻害し効果を発揮できない。また、寝具に上述のような加熱等の手段を施したのでは、却って速やかな入眠や十分な睡眠効果が妨げられるおそれもある。更に、枕カバー、ふとんシーツ等の寝具用シートに香料組成物を付着させる場合、シート素材そのものの肌触りが睡眠に影響を及ぼすことが考えられる。肌触りが悪いと寝具用シートの感触が気になり、寝つきが悪くなることが考えられる。
【０００８】
よって、速やかな入眠や十分な睡眠効果を得るためには、寝具自体に快適感を付与することも重要である。特に、汗蒸れ等が生じて汗が身体から蒸発しないと、身体の深部体温が低下せず、入眠や睡眠効果を妨げる要因の一つとなることは上述の通りである。
【０００９】
従って本発明の目的は、加熱等の処理及びそのための装置を必要とすることなく、常温においてもその効果を発現させるのに十分な量の鎮静精油成分を寝具に担持させると共に、鎮静精油成分の揮発性を損なうことなく、肌触りが良好で、速やかな入眠や十分な睡眠効果を有する寝具用シートを提供することにある。
【課題を解決するための手段】
【００１０】
本発明は、鎮静精油成分を担持した第１繊維シート及び親水性繊維を２０〜９０重量％含む第２繊維シートを備え、第２繊維シートを身体に接触する側に配した寝具用シートを提供することにより前記目的を達成したものである。
【発明の効果】
【００１１】
本発明の寝具用シートによれば、揮発する鎮静精油成分の吸入、及び肌触りの快適性により、速やかな入眠効果、十分な睡眠効果等を得ることができる。
【発明を実施するための最良の形態】
【００１２】
以下本発明を、その好ましい実施形態に基づき図面を参照しながら説明する。図１には本発明の寝具用シートの一実施形態の断面の模式図が示されている。寝具用シート１０は、第１シート１及び第２シート２を備えている。両シート１，２は所定手段によって一体化されており、一枚のシートを構成している。両シート１，２は繊維材料から構成されている繊維シートである。両シート１，２の一体化の方法に特に制限はなく、例えばヒートシール、エンボス装置を用いた融着、接着剤による接着、縫い合わせなどの方法を用いることができる。
【００１３】
第１シート１は鎮静精油成分を担持している。担持する鎮静精油成分としては、例えば、セスキテルペンアルコール、モノテルペンアルコール、ジテルペンアルコール、これらのエステル化合物等が挙げられる。寝具に安定して担持できるという点から、鎮静精油成分は常温で固体であることが好ましい。また、鎮静効果の点から、鎮静精油成分は、セスキテルペンアルコールであることも好ましい。なお本発明において常温とは２２℃を意味する。
【００１４】
セスキテルペンアルコールの具体例としては、セドロール、β−カリオフィレンアルコール、パチョリアルコール、グロブロール、セドレノール、ファルネソール、α−サンタロール、α−ビサボロール、ベチベロール、スクラレオール、ネロリドール等を挙げることができる。常温で固体である点から、セドロール、β−カリオフィレンアルコール、パチョリアルコール、グロブロールが好ましい。モノテルペンアルコールの具体例としては、αテルピネオール、ぺリラアルコール、リナロール、ゲラニオール等を挙げることができる。常温で固体である点から、αテルピネオールが好ましい。ジテルペンアルコールの具体例としては、ゲラニルリナロール、イソフィトール、スクラレオール等を挙げることができる。常温で固体である点から、スクラレオールが好ましい。前記テルペンアルコールのエステルとしては、前記テルペンアルコールと酢酸、酪酸等の脂肪酸とのエステルを挙げることができる。
【００１５】
前記テルペンアルコールの中でも、副交感神経を優位にさせる効果に特に優れると共にストレスを緩和し、リラックス感を増すという点、及び微香性であり嗜好に関わりなく効果がある点から、速やかな入眠効果、十分な睡眠効果を発揮する物質であるセドロールを用いることが特に好ましい。なお、これらの鎮静精油成分は単独で又は２種以上の混合物として使用することができる。常温で液状のものを含んでいても、混合物とした場合に常温で固体状のものであれば、本発明で使用することができる。
【００１６】
鎮静精油成分としてセドロールを用いる場合には、純度９０％以上のものを用いることが好ましく、更に純度９５％以上のものを用いることが好ましく、特に純度９８％以上のものを用いることが好ましく、とりわけ純度９９％以上のものを用いることが好ましい。セドロールは、高純度のものほど微香性となり、その効果がより嗜好性に左右されなくなるからである。
【００１７】
鎮静精油成分の担持量は、高揮散、粉落ち抑制、肌感触、持続性の向上の点から、坦持体材料である第１シート１の表面積（見掛けの表面積）に対して０．１〜３０ｇ／ｍ2であることが好ましく、さらに１．０〜１５ｇ／ｍ2であることが好ましい。
【００１８】
第１シート１を構成する繊維材料は、その繊維比表面積が０．９〜３．０ｍ2／ｇであることが好ましい。これにより、常温で固体の鎮静精油成分の揮散速度を早くできると共に、実使用上問題のない強度が維持できる。また、空隙が密であるために粉落ちを抑制することが可能となる。繊維比表面積が１．３〜２．８ｍ2／ｇであると、常温での揮散速度が一層早くなり、粉落ちを一層防止できる点から好ましい。繊維比表面積は、カルロエルバ社製のＳｏｒｐｔｙ  １７５０型等の測定装置を用いてＢＥＴ１点法により求められる。
【００１９】
第１シート１を構成する繊維シートとしては、例えば互いに相溶性のない２種類のポリマーを同じ紡糸ノズルから同時に溶融押出して不織布としたものに、高圧水流等の噴射などの外力を用い繊維を分割・分離して得られるものや、メルトブローン法によって得られる不織布等を用いることができる。また、これらの繊維シートは、粉落ち抑制等の点から、その坪量が２０〜２００ｇ／ｍ2であることが好ましく、２０〜１００ｇ／ｍ2であることが更に好ましく、４０〜１００ｇ／ｍ2であることが特に好ましい。
【００２０】
これらの繊維シートを製造するためのポリマーとしては、ポリエチレン（ＰＥ）やポリプロピレン（ＰＰ）等のポリオレフィン類、ポリエチレンテレフタレート（ＰＥＴ）やポリブチレンテレフタレート（ＰＢＴ）等のポリエステル類、ナロン等のポリアミド類等を用いることが好ましい。
【００２１】
外力によって分割・分離可能な繊維における２種類のポリマーの組み合わせとしては、例えばＰＥＴとナイロン、ＰＥＴとＰＰ、ＰＥとＰＰ等を採用することが好ましい。中でも、ＰＥＴとＰＰの組合せからなる分割・分離型の繊維を用いた繊維シートを第１シート１として用いると、鎮静精油成分の常温における揮散速度に優れ、また粉落ちが少なくなることから特に好ましい。
【００２２】
また、外力によって分割・分離可能な繊維は、分割によって繊維の断面形状が単純な丸みを持ったものではなく、複雑な多角形形状となることに起因して、その繊維の比表面積が分割前に比較して大きくなっている。このため、当該繊維からなる繊維シートを常温で固体の鎮静精油成分の担持体として用いると、該鎮静精油成分の結晶の比表面積が大きくなり（つまり結晶サイズが小さくなり）、鎮静精油成分の揮散効率が更に向上することから好ましい。また、常温で固体の鎮静精油成分を強固に担持させてその粉落ちを更に効果的に抑制することも可能になる。
【００２３】
一方、メルトブローン法によって得られる不織布からなる繊維シートは、ＰＥＴ、ＰＰ、ＰＥ等を用いて形成されることが好ましい。
【００２４】
繊維シートからなる第１シート１は、その通気度が、２〜４０ｃｍ3／ｃｍ2・ｓｅｃ（ＪＩＳ  Ｌ  １０９６  フラジール形法）であることが好ましく、５〜４０ｃｍ3／ｃｍ2・ｓｅｃであることが更に好ましく、５〜２０ｃｍ3／ｃｍ2・ｓｅｃであることが特に好ましい。第１シート１の通気度を前記範囲内とすることにより、常温において優れた揮散速度が得られるようになると共に、粉落ちを一層抑制することが可能になる。なお、通気度２〜４０ｃｍ3／ｃｍ2・ｓｅｃの第１シート１に穴を設けたものに常温で固体の鎮静精油成分を担持させても良い。
【００２５】
第１シート１に常温で固体の鎮静精油成分を担持させる方法としては、例えば鎮静精油成分を溶媒に溶解して得られた溶液を、担持体材料に含浸させた後、乾燥処理する方法が挙げられる。この方法によれば鎮静精油成分を結晶状態で担持させることができる。前記溶液中の鎮静精油成分の濃度は、０．５〜１５重量％、特に１〜１０重量％とすることが、高揮散、粉落ち抑制の点から好ましい。溶媒としては、エタノール等の低級アルコール類、酢酸エチル等のエステル類、アセトン等のケトン類等を用いることができ、担持させる鎮静精油成分の溶解性等により適宜選択することができる。また、前記溶液中には、常温で固体の鎮静精油成分以外の鎮静精油成分（例えば香料）等を適宜添加してもよい。
【００２６】
次に第２シート２について説明する。第２シート２は、寝具用シート１０に良好な肌触や吸水性、放湿性を付与するために用いられる。肌触り及び吸水性が良好なシートとしては、特開平９−３１８２３号公報及び特開平７−５４２５６号公報に記載のシートが知られている。これらのシートは、吸水性を向上させつつ表面を乾燥した状態に保つという目的上、疎水性繊維としてポリエステル系繊維、ポリアミド系繊維、ポリオレフィン系繊維を用い、これらの繊維を肌に触れる側に用いている。しかしこれらの繊維は比較的硬いものであり、肌触りの面で好ましくない。また、放湿性の向上については考慮されていない。これに対して本発明においては、第２シートとして以下に述べる構成のものを採用することで、身体の汗を吸い取り易く、また放湿しやすくしている。また肌触りも良好にしている。更に、この第２シート２と、先に述べた第１シート１、即ち鎮静精油成分を担持させたシートとを重ねて用いても、該鎮静精油成分の揮発性を損なわれず、両シート１，２の相乗効果によって快適な睡眠が得られる。
【００２７】
第２シート２は親水性繊維を含有している。親水性繊維としては例えば、レーヨン、綿、脱スケールしたウール、再生セルロース等が挙げられる。吸湿性、放湿性が良好な点から、親水性繊維はレーヨンであることが好ましい。第２シート２における親水性繊維の含有量は、該シート２の吸湿性及び放出性の点から２０〜９０重量％とする。
【００２８】
第２シート２は、前述した親水性繊維に加えて疎水性繊維を含むことが好ましい。これによって第２シート２に、吸水性及び放湿性と共に、肌感触の良好さが付与される。疎水性繊維としては、ポリエステル系繊維、ポリアミド系繊維、ポリオレフィン系繊維、等が挙げられる。肌感触等が良好であると共に強度も優れる点から、エチレンを含有するポリオレフィン系繊維、例えばエチレンプロピレンランダム共重合体繊維が好ましい。第２シート２における疎水性繊維の含有量は１０〜８０重量％であることが、第２シート２における吸湿性及び放出性と、肌感触とのバランスを図る点から好ましい。
【００２９】
吸水性及び放湿性と共に肌感触を良好にする点から、第２シート２は、親水性繊維を５５〜９０重量％含み且つ疎水性繊維を１０〜４５重量％含むことが好ましい。第２シート２の坪量は、吸水性及び放湿性並びに肌感触の点から４０〜３００ｇ／ｍ2、特に５０〜１５０ｇ／ｍ2であることが好ましい。
【００３０】
第２シート２は、身体に接する側に配された第１層２ａと、第１シート１に接する第２層２ｂとの２種類の層から構成され、身体に接する側である第１層２ａの親水性が第２層２ｂの親水性よりも高くなされていることが好ましい。第２シート２をこのような構成にすることによって、身体表面の汗を素早く吸収できるという利点がある。特に第１層２ａが、親水性繊維を９０重量％以上含むことが好ましく、特に１００％含むことが好ましい（つまり第１層２ａが親水性繊維のみから構成されることが特に好ましい）。また、第２層２ｂが親水性繊維を３０〜７０重量％、及び疎水性繊維を３０〜７０重量％含むことが好ましく、親水性繊維を４５〜７０重量％、及び疎水性繊維を３０〜５５重量％含むことが更に好ましい。
【００３１】
第１層２ａの坪量は２０〜２００ｇ／ｍ2、特に３０〜１００ｇ／ｍ2であり、第２層２ｂの坪量は１０〜１００ｇ／ｍ2、特に２０〜８０ｇ／ｍ2であることが、第２シート２全体の柔らかさ及び吸水性の点から好ましい。
【００３２】
第１層２ａと第２層２ｂとは、これらの層を構成する構成繊維同士の交絡により結合されていることが好ましい。例えば、第１層２ａ及び第２層２ｂそれぞれのウエブをカード機を用いて製造し、両ウエブを重ね合わせた状態下に高圧水流を利用したウオータージェットパンチ法（ウオーターニードリング法）によって両ウエブの構成繊維を互いに交絡させることで、両層２ａ，２ｂを結合させることができる。この方法に代えて、第１層２ａ及び第２層２ｂのウエブを重ね合わせた状態下にニードルパンチ法によって両ウエブの構成繊維を互いに交絡させることもできる。
【００３３】
第２シート２においては、第１層２ａが多皺状で嵩高くなっており、第２シート２全体がタオル地状となっていることが好ましい。これによって第２シート２の肌感触が柔らかくなるという利点が生じる。第２シート２をこのような構成にするためには、例えば、第１層２ａと第２層２ｂとを結合させた後、熱処理により第２層２ｂを収縮させ、それによって第１層２ａを多皺状に成形する方法を用いることができる。第２層２ｂを熱収縮させるためには、該層２ｂに、前述した疎水性繊維として熱収縮性繊維を含有させればよい。特に、熱収縮性繊維として、延伸処理したエチレンプロピレンランダム共重合体繊維を用いると、第２層２ｂが効果的に収縮して多皺状になり易い点から好ましい。
【００３４】
本発明は前記実施形態に制限されない。例えば前記実施形態においては、寝具用シート１０は第１シート１及び第２シート２の２層構造であったが、必要に応じ第１シート１側に更に一層又は二層以上のシートを積層してもよい。
【実施例】
【００３５】
以下、実施例及び比較例により、本発明の寝具用シートをさらに詳細に説明する。
【００３６】
〔実施例１及び比較例１ないし３〕
表１に示す繊維素材を用い、次に示す方法により、寝具用シートを製造した。
【００３７】
【表１】
2005143760.tif 000003
【００３８】
〔第１シートの製造法〕
互いに相溶性のない２種類のポリマー（ＰＥＴとＰＰ）を同じ紡糸ノズルから同時に溶融押出して不織布を得た。この不織布に、高圧水流を噴射してＰＥＴ繊維とＰＰ繊維を分割・分離させて第１シートを得た。第１シートは、通気度が７ｃｍ3／ｃｍ2・ｓｅｃ、坪量が９０ｇ／ｍ2であった。その構成繊維の比表面積は１．５１ｍ2／ｇであった。第１シートを、１０ｃｍ×１０ｃｍのサイズに切断し、エタノール９５ｇにセドロールを５ｇ添加して攪拌溶解させたセドロール溶液２ｇを含浸させた後、常温にて２４時間乾燥させてセドロールを担持させた。担持量は１０ｇ／ｍ2であった（実施例１）。比較例１ないし３では、ＰＰのみを用いて不織布を得た。
【００３９】
〔第２シートの製造法〕
第１層として、レーヨン１００重量％、坪量３８ｇ／ｍ2のカードウエブを製造した。また第２層として、レーヨン５０重量％及び延伸処理したエチレンプロピレンランダム共重合体繊維５０重量％、坪量３８ｇ／ｍ2のカードウエブを製造した。両ウエブを重ね合わせ、その状態下にウォータージェットパンチ法によって両ウエブの構成繊維間交絡させて一体化した。次いで１４０℃にて３０秒間乾熱処理して第２層を収縮させ、第２シートを得た。第２シートにおいては、第２層の熱収縮に起因して第１層が多皺状になっており、第２シート全体がタオル地状になっていた。第２シート全体の坪量は７６ｇ／ｍ2であった（実施例１）。比較例１ではレーヨンの代わりにＰＥＴ繊維を用い、同様の方法にて多皺状の第２シートを製造した。比較例２及び３は市販の枕カバー素材２種を用いた。比較例２はロフテー株式会社製の枕カバー：商品名＃２４１９（株式会社クラレ製の高吸放湿性の親水性繊維：商品名「ソフィスタ」と綿からなるシート）を切断して使用した。比較例３は、ファブ・ザ・ホーム株式会社製の綿１００％からなる枕カバー：商品名ＦＨ１１２８１１を切断して使用した。製造したシートは、１０ｃｍ×１０ｃｍのサイズに切断して使用した。
【００４０】
〔寝具用シートの製造法〕
第１シートと第２シートを重ね合わせ、外周部をヒートシールすることにより寝具用シートを製造した。
【００４１】
実施例及び比較例で得られた寝具用シートについて以下の方法で吸水性、放湿性、肌触り及び鎮静精油成分の揮散特性を評価した。結果を以下の表２に示す。
【００４２】
〔吸水性評価法〕
１０ｃｍ×１０ｃｍサイズの寝具用シートの第２シートの面を、５±０．５ｇ含水させた濾紙上に置いた。その上から１００ｇの荷重をかけ、５秒間静置した。その後寝具用シートの重量を測定し、水の増加分から水／寝具用シート重量比を算出した。この重量比が大きいほど吸水性が高いことを意味する。濾紙は、ワットマンインターナショナル社製：商品名０９−４２を１５ｃｍ×１５ｃｍのサイズに切断して使用した。
【００４３】
〔放湿性評価法〕
寝具用シートを１０ｃｍ×１０ｃｍにカットし、２６℃／９０〜９９％ＲＨの環境下の環境室に静置し、水／寝具用シート重量比が飽和するまで放置した。その後環境室から取り出し、水／寝具用シート重量比の減少を経時的に測定し、１分当たりの重量比の減少の傾きを放湿性とした。この傾きが大きいほど放湿性が高いことを意味する。
【００４４】
〔肌触り評価法〕
寝具用シートの第２シート側を頬と接触させ、その感触評価を行った。被験者は、２０〜３０代の女性１０名とした。感触評価は、好きを評価得点５とし、やや好きを評価得点４とし、どちらともいえないを評価得点３とし、やや嫌いを評価得点２とし、嫌いを評価得点１とし、１０名の平均値を感触評価値とした。
【００４５】
〔揮散特性評価法〕
第１シートの製造法に示した方法により、坦持量が１０ｇ／ｍ2となるようにセドロールを第１シートに担持させた。第１シートのサイズは１０ｃｍ×１０ｃｍであった。これとは別に、１５ｃｍ×１５ｃｍにカットした２枚の第２シートを重ね合わせて周囲三辺をヒートシールにより接着し、袋体とした。この袋体に第１シートを入れて、２５℃／５０％ＲＨの環境下に大気中に吊した。この状態下に経時的に重量を測定した。１日当たりの重量減少により揮散特性を評価した。重量減少が大きいほど揮散特性が高いことを意味する。実施例１及び比較例１の第２のシートは、第２層同士を合わせた後にヒートシールした。比較例２及び３については、周囲三辺を縫合した。
【００４６】
【表２】
2005143760.tif 000004
【００４７】
表２に示した評価結果から、本実施例の寝具用シートは比較例のシートに比較して、吸水性、放湿性、肌触り及び常温で固体のセドロールの揮散特性が優れていることが判る。特に吸水性と揮散特性が優れていることが判る。
【図面の簡単な説明】
【００４８】
【図１】本発明の寝具用シートの一実施形態の断面を示す模式図である。
【符号の説明】
【００４９】
１  第１シート
２  第２シート
２ａ  第１層
２ｂ  第２層
【図１】
2005143760.tif 000005